(57)【要約】【課題】スーパーマーケットのサッカー台（会計済み商品梱包用スペース）などに用意されているポリエチレン袋やビニール袋などのように、口縁部の表材と裏材が密着して開口しにくい袋の開口を容易にするという利便性を提供する。【解決手段】袋の側縁部にマチを設け、表材の折り込み幅と裏材の折り込み幅を異なったサイズとし、袋幅方向に離隔させた差異を生じさせる。その部分を指などで把捉して袋幅方向に引っ張ることで表材と裏材が遊離し、開口部を容易に開けることができる仕組みを特徴とする。誰にでも容易に素早く確実に、袋の口を開くことが可能となる。【選択図】図１
2009126581.tif 000002
【特許請求の範囲】
【請求項１】
筒状体の上端部に開口部（４）を有し、その底端部（５）を閉鎖して形成される袋であって、内側に向かって折り込まれた一対のマチ部（６）を備え、当該マチ部において表材（２）の折り目（７）からマチ折り目内側端（９）への折り込み幅（１０）と、裏材（３）の折り目（８）からマチ折り目内側端（９）への折り込み幅（１１）とが異なったサイズで袋幅方向に離隔しており、かつ、裏材（３）の折り目（１３）からマチ折り目内側端（１５）への折り込み幅（１６）と、表材（２）の折り目（１４）からマチ折り目内側端（１５）への折り込み幅（１７）とが異なったサイズで袋幅方向に離隔しており、上記離隔幅（１２および１８）が生ずる部位は、表面、裏面ともに袋幅方向に対して直交する縁端の一方（右側または左側）にあることを特徴とするマチ付き袋。
【請求項２】
開口部（４）が直線で断裁されていることを特徴とする請求項１記載のマチ付き袋。
【請求項３】
開口部（４）が型抜きで断裁されていることを特徴とする請求項１記載のマチ付き袋。
【請求項４】
開口部（４）が非直線断裁で形成されていることを特徴とする請求項１記載のマチ付き袋。
【請求項５】
開口部（４）がミシン目によって断裁するよう形成されていることを特徴とする請求項１記載のマチ付き袋。
【請求項６】
袋の幅に対して垂直な方向に未断裁の状態で連続した形態を呈し、開口部（４）がミシン目によって断裁するよう形成されていることを特徴とする請求項１記載のマチ付き袋。
【請求項７】
底端部（５）が融着または圧着によって形成されていることを特徴とする請求項２〜６のいずれか一項に記載のマチ付き袋。
【請求項８】
底端部（５）が接着によって形成されていることを特徴とする請求項２〜６のいずれか一項に記載のマチ付き袋。
【発明の詳細な説明】
【技術分野】
【０００１】本発明は、開口部を容易に開けることができるようにしたマチ付き袋に関する。
【背景技術】
【０００２】従来の袋は、素材の如何を問わず、マチ付きマチなしを問わず、袋を構成する表材と裏材が密着し、開口に手間取ってしまうという問題を抱えていた。
袋の開口をスムーズにするための考案としては、特許文献１に記載されているように、二枚重ねの合成樹脂シートの両側縁にまち部を設けた袋の口部寄りの位置に指先で破ることのできるミシン目を有することで、まち部の内側折り曲げふちを押し出し、二枚重ねのシートの間が動くことで袋を開口させる提案がある。
また特許文献２で提案されている包装用袋は、袋のまち部の折り目を複数形成することで袋の幅を狭くすることを主な目的としているが、複数回折り目をつけたまちの厚みにより、袋の表材と裏材が密着するのを低減させることで開口がスムーズになる効果を謳うものもある。
【特許文献１】公開特許公開番号２００７−２１７０５７（Ｐ２００７−２１７０５７Ａ）
【特許文献２】実用新案登録第３１３１８４６号（Ｕ３１３１８４６）
【発明の開示】
【発明が解決しようとする課題】
【０００３】スーパーマーケットのサッカー台（会計済み商品梱包用スペース）などで、食品などの水分の多い物品を入れるように用意されているポリエチレン袋は、口縁部が密着しているためなかなか開口させることができない。袋を開口させるためには、指などで口縁部を圧握し、袋を構成する表材と裏材を摩擦によって遊離させる必要がある。しかし、特に乾燥した季節には指がすべりやすくなっており、時間がかかりイライラする作業となってしまう。通常、濡れ布巾や湿度のあるものを使って手指を湿らせておくか、めくるための用材を用いて「滑り止め」をするなど、何らかの用具を用いる必要があった。こういった用具がない場合、あるいは高齢者や小さな子ども、障害のある方々にとっては、袋の開口は困難で時間のかかる作業となっている。このような素材の袋に限らず、レジ袋やビニール袋、紙袋に至っても、袋を構成する表材と裏材が密着しているため開口させるためには大変な手間がかかっている。商業用の梱包封入作業においても、袋の開口は面倒で気を遣う作業となっている。特に湿度を嫌う商品や、食品などの衛生面を重視する物品では尚更である。
本発明は、以上のような欠点をなくすためになされたものである。
【課題を解決するための手段】
【０００４】本発明は、筒状体の上端部に開口部（４）を有し、その底端部（５）を閉鎖して形成される袋であって、内側に向かって折り込まれた一対のマチ部（６）を備え、当該マチ部において表材（２）の折り目（７）からマチ折り目内側端（９）への折り込み幅（１０）と、裏材（３）の折り目（８）からマチ折り目内側端（９）への折り込み幅（１１）とが異なったサイズで袋幅方向に離隔しており、かつ、裏材（３）の折り目（１３）からマチ折り目内側端（１５）への折り込み幅（１６）と、表材（２）の折り目（１４）からマチ折り目内側端（１５）への折り込み幅（１７）とが異なったサイズで袋幅方向に離隔しており、上記離隔幅（１２および１８）が生ずる部位は、表面、裏面ともに袋幅方向に対して直交する側縁部の一方（右側または左側）にあることを特徴とするマチ付き袋である。
【発明の効果】
【０００５】・従来のように袋の開口部（筒状体の上部）の表材と裏材と指などで擦り合わせて離隔させるのではなく、袋の側縁部を袋幅方向に引くことで開口させるため、手指のコンディションの如何を問わず、保湿や滑り止めのための用材を必要とせず、確実に短時間に誰にでも開けやすい形状となる。
・袋の側縁部を袋幅方向に引くことで開口させるため、袋全体の表材と裏材が移動して空気が流入する。そのため、開口部から底部に至るほぼ全面で表材と裏材が離隔するため、袋内に物品を挿入する際にもスムーズな動作をさせることが可能となる。
・高齢者や小さな子ども、障害がある方々にも使いやすいユニバーサルデザインである。
・簡単確実に開けられる形態なので、スーパーマーケットなどのサッカー台（会計済み商品梱包用スペース）などで、食品などの水分の多い物品を入れるように用意されているポリエチレン袋やビニール袋などへ会計済みの食品類を入れる場合の手間と時間が軽減となり、またレジ袋、紙袋、手提げ袋の開口の手間も減少するため、顧客のサッカー台を占有する時間の短縮になり、混雑緩和にも繋がる。
・簡単確実に開けられる形態なので、梱包封入などの作業時間、作業手間の軽減になるだけではなく、保湿や滑り止めのための用材を必要としないため、湿度を嫌う商品や、食品などの衛生面を重視する物品では安全性を高めることが可能となる。また、開口部に触れる必要がないため、雑菌等の袋内部への侵入を防ぐ効果も高い。
・袋の側縁部を袋幅方向に引くことで開口させる構造であるため、梱包封入用の機械にセットすることも容易で、製造工程の一連の流れのなかで、簡単確実に袋の開口ができ、商品などを封入する作業をスムーズに行うことが可能となる。
【発明を実施するための最良の形態】
【０００６】筒状体の上端部に開口部（４）を有し、その底端部（５）を閉鎖して形成される袋であって、内側に向かって折り込まれた一対のマチ部（６）を備え、当該マチ部において表材（２）の折り目（７）からマチ折り目内側端（９）への折り込み幅（１０）と、裏材（３）の折り目（８）からマチ折り目内側端（９）への折り込み幅（１１）とが異なったサイズで袋幅方向に離隔しており、かつ、裏材（３）の折り目（１３）からマチ折り目内側端（１５）への折り込み幅（１６）と、表材（２）の折り目（１４）からマチ折り目内側端（１５）への折り込み幅（１７）とが異なったサイズで袋幅方向に離隔しており、上記離隔幅（１２および１８）が生ずる部位は、表面、裏面ともに袋幅方向に対して直交する縁端の一方（右側または左側）にあることを特徴とするマチ付き袋である。
・袋の素材、大きさ、素材の厚み、使用目的、収納する品目を問わない。
・例えばスーパーマーケットで使用されるポリエチレン袋に限らず、レジ袋、手付き袋、ゴミ収集袋、紙袋、包装紙袋、商品を梱包する目的の袋、工業の用途に用いられる袋、福祉や介護の用途で使用される袋、乳幼児のケアに使用される袋などであっても、すべて含まれる。
・使用前の袋が収納されている状況はロール状や、たたまれて箱や外袋などに入れられている状態などである。
・袋の底端部（５）の形成方式は融着式、圧着式、接着式などで、形状を問わない。開口部（４）は、単純直線断裁、レジ袋のように持ち手が型抜きなどで一体形成されている断裁、非直線断裁、ミシン目による切り取り式などで、形状を問わない。
・表材（２）の折り目（７）と裏材（３）の折り目（８）とを離隔した差（１２）および裏材（３）の折り目（１３）と表材（２）の折り目（１４）とを離隔した差（１８）は、指で摘んで引っ張る場合には５ミリ以上３０ミリ以下が好ましく、機械などで引っ張る場合には、機械の牽引部がかかる幅があればよい。また、高齢者や障害がある方々が使用すると想定される場合、この離隔幅を広くとることが好ましい。
・表材（２）の折り目（７）と裏材（３）の折り目（８）とを離隔した差（１２）および裏材の折り目（１３）と表材の折り目（１４）とを離隔した差（１８）は、袋の開口部（４）から底端部（５）にかけて、幅が均一であることが好ましい。
・表材（２）の折り目（７）からマチ折り目内側端（９）までの幅（１０）および裏材（３）の折り目（１３）からマチ折り目内側端（１５）までの幅（１６）は、表材（２）と裏材（３）が遊離する幅であり、袋を開口させる働きを持つため、一般的に３ミリ以上であることが好ましい。
・表材（２）の折り目（７）から（１４）にかけての幅（１９）と、裏材（３）の折り目（８）から（１３）にかけての幅（２０）が、実質的に同じであることが好ましい。
【実施例】
【０００７】筒状に形成された袋素材の左右の側縁部にマチ織り込み動作用の幅ガイドをつけてマチ部を形成する際、この幅ガイドによって形成される折り目（７）、（８）、（１３）、（１４）について、それぞれ離隔幅（１２および１８）が生じるように幅ガイドを設定する。袋素材が紙などで平面を折り曲げて形成するような場合は、折り目（７）、（８）、（１３）、（１４）について、それぞれ離隔幅（１２および１８）が生じるよう折り目をつけて袋に加工する。
本発明に係る形状のマチ付き袋を製造するにあたっては、従来のマチ付き袋の製造機器のマチ折り込み動作部の幅ガイド部分をずらし、あるいは従来のマチ部形成の折り目ラインをずらし、前後に所定の差異が生ずるように改変するのみで可能である。
【産業上の利用可能性】
【０００８】買物時にスーパーマーケットなどで顧客が商品を梱包する際に利用するポリエチレン袋をはじめ、ビニール袋、紙袋、レジ袋、手提げ袋などの開口に利便性を発揮する。また、商品の包装、出荷や発送のための梱包においても作業時間、作業手間が軽減し、衛生面や安全性を高めることが可能となる。
【図面の簡単な説明】
【０００９】
【図１】本発明に係る袋１の口を少し開いたところの斜視図である。
【図２】本発明に係る袋１を平面的に置いて上方から見た平面図である。
【図３】本発明に係る袋１について（ａ）は左右の離隔差部分をつまんで左右に引こうとしているところ、（ｂ）は離隔部分を左右に引いて袋の口が少し開いたところを示す斜視図である。
【符号の説明】
【００１０】    １：本発明に係る袋
２：表材
３：裏材
４：開口部
５：底端部
６：マチ部
７：表材の折り目
８：裏材の折り目
９：マチ折り目内側端
１０：表材の折り目（７）からマチ折り目内側端（９）への幅
１１：裏材の折り目（８）からマチ折り目内側端（９）への幅
１２：折り目（７）と折り目（８）との離隔差
１３：裏材の折り目
１４：表材の折り目
１５：マチ折り目内側端
１６：裏材の折り目（１３）からマチ折り目内側端（１５）への幅
１７：表材の折り目（１４）からマチ折り目内側端（１５）への幅
１８：折り目（１３）と折り目（１４）の離隔差
１９：表材の折り目（７）から表材の折り目（１４）への幅
２０：裏材の折り目（８）から裏材の折り目（１３）への幅
【図１】
2009126581.tif 000003
【図２】
2009126581.tif 000004
【図３】
2009126581.tif 000005